【手続補正書】
【提出日】平成18年1月9日(2006.1.9)
【手続補正１】
【補正対象書類名】明細書
【補正対象項目名】全文
【補正方法】変更
【補正の内容】
【書類名】    明細書
【発明の名称】  棟面戸ユニット
【特許請求の範囲】
【請求項１】
瓦屋根の屋根葺きの際に使用される棟面戸を備え、屋根頂上部に固定された角材に固定される棟面戸ユニットであって、
長方形の金属板の長手方向に平行な両端部の一端部側が所定幅折り曲げられて形成され、前記角材に取り付けられる取付部と、
前記金属板の前記取付部とは反対側の他端部側を前記取付部の折り曲げ方向と反対方向に折り曲げて形成された第１折り曲げ部と、
当該第１折り曲げ部の先端側を前記取付部方向に所定幅折り曲げて形成された第２折り曲げ部と、
当該第２折り曲げ部の先端側を前記金属板の板面から離れる方向に所定幅折り曲げて形成された棟面戸と
を備えたことを特徴とする棟面戸ユニット。
【請求項２】
前記第２折り曲げ部には、換気のための換気口を設けたことを特徴とする請求項１に記載の棟面戸ユニット。
【請求項３】
前記第２折り曲げ部の内側から外側に向けて金属板をコの字形に打ち抜いて前記換気口と前記換気口に雨水が浸入しないように覆う覆部とを形成し、当該覆部は、前記第２折り曲げ部において前記第１折り曲げ部側から延設されていることを特徴とする請求項２に記載の棟面戸ユニット。
【請求項４】
前記第２折り曲げ部と前記棟面戸との間には、前記換気口から浸入した雨水の前記棟面戸の内側への浸入防止のための凸部が設けられ、当該凸部と前記金属板との間には間隙が設けられていることを特徴とする請求項２又は３に記載の棟面戸ユニット。
【発明の詳細な説明】
【０００１】
【発明の属する技術分野】
本発明は屋根の棟面戸に関する。
【０００２】
【従来の技術】
従来、切妻屋根や寄棟屋根等の屋根形状を持つ家屋では、その屋根の頂上部にのし瓦を重ねてその上に棟瓦を載せるといった、所謂のし積が施されている。こののし積の施工時には、野地板上に敷設された屋根瓦の頂部に棟瓦を設置し、屋根瓦と大のし瓦の間隙に棟面戸が設けられ、屋根構造が形成されるようになっていた。この屋根構造の棟面戸は漆喰を用いて形成したり、また漆喰を用いる以外の方法では雨水等の浸入を防ぐために、防水性に優れた弾性体シートで作られた棟面戸を利用したものが知られている（例えば、特許文献１参照）。また、屋根内部の通気性をよくするため、棟面戸の上部に樹脂線体により形成した棟瓦支持材を設置することも知られていた（例えば、特許文献２参照）。
【０００３】
【特許文献１】
特開平１０−３０３１１号公報
【特許文献２】
特開平１１−１４１０５９号公報
【０００４】
【発明が解決しようとする課題】
しかしながら、従来の漆喰を用いる方法では一般的な住宅では屋根に約３００ｋｇの加重が余分にかかり屋根が重くなるという問題がある。また、特許文献１に記載の発明では、弾性体シートで作られた棟面戸は防水性に優れている反面、外部との換気が充分にできず、また釘を用いて野地板に直接打ち付けなければならないため、施工に手間がかかるという問題があった。また、特許文献２に記載の発明では、樹脂線体を用いた支持材は通気性に優れているが、樹脂線体の隙間から雨水が入り込む可能性があるという問題があった。また樹脂線体を形成せねばならず費用が高くなるという問題があった。
【０００５】
本発明は、上述の問題点を解決するためになされたものであり、軽量にでき、かつ換気機能を持ち、また雨水の浸入を防ぎ、容易に取付が可能な棟面戸ユニットを提供することを目的とする。
【０００６】
【課題を解決するための手段】
上記目的を達成するために、請求項１に記載の棟面戸ユニットは、瓦屋根の屋根葺きの際に使用される棟面戸を備え、屋根頂上部に固定された角材に固定される棟面戸ユニットであって、長方形の金属板の長手方向に平行な両端部の一端部側が所定幅折り曲げられて形成され、前記角材に取り付けられる取付部と、前記金属板の前記取付部とは反対側の他端部側を前記取付部の折り曲げ方向と反対方向に折り曲げて形成された第１折り曲げ部と、当該第１折り曲げ部の先端側を前記取付部方向に所定幅折り曲げて形成された第２折り曲げ部と、当該第２折り曲げ部の先端側を前記金属板の板面から離れる方向に所定幅折り曲げて形成された棟面戸とを備えたことを特徴とする構成となっている。
【０００７】
この構成の棟面戸ユニットでは、棟面戸と、角材に固定される長方形の金属製の固定部材を備えているので、屋根瓦と大のし瓦の間に土を埋めて棟面戸を形成する必要がなく、また、取付が容易であるため、作業の効率を上げることができる。
【０００８】
請求項２に記載の棟面戸ユニットは、請求項１に記載の発明の構成に加え、前記第２折り曲げ部には、換気のための換気口を設けたことを特徴とする構成となっている。
【０００９】
この構成の棟面戸ユニットでは、請求項１に記載の発明の作用に加え、第２折り曲げ部に設けられた換気口により棟面戸の内側の空気の換気が行える。
【００１０】
請求項３に記載の棟面戸ユニットは、請求項２に記載の発明の構成に加え、前記第２折り曲げ部の内側から外側に向けて金属板をコの字形に打ち抜いて前記換気口と前記換気口に雨水が浸入しないように覆う覆部とを形成し、当該覆部は、前記第２折り曲げ部において前記第１折り曲げ部側から延設されていることを特徴とする構成となっている。
【００１１】
この構成の棟面戸ユニットでは、請求項２に記載の発明の作用に加え、第２折り曲げ部の内側から外側に向けて金属板をコの字形に打ち抜いて換気口と換気口に雨水が浸入しないように覆う覆部とを形成し、当該覆部は、第２折り曲げ部において第１折り曲げ部側から延設されているので、換気口の開口部が棟面戸に向けて形成されることになり、雨が吹き付けても換気口の開口部は、覆部で覆われて雨水が入ることを防止できる。
【００１２】
請求項４に記載の棟面戸ユニットでは、請求項２又は３に記載の発明の構成に加え、前記第２折り曲げ部と前記棟面戸との間には、前記換気口から浸入した雨水の前記棟面戸の内側への浸入防止のための凸部が設けられ、当該凸部と前記金属板との間には間隙が設けられていることを特徴とする構成となっている。
【００１３】
この構成の棟面戸ユニットでは、請求項２又は３に記載の発明の作用に加え、第２折り曲げ部と棟面戸との間には、凸部が設けられているので、換気口から浸入した雨水の棟面戸の内側への浸入を防止することができ、また凸部と金属板との間には間隙が設けられており、棟面戸の内側と外気との空気通路となり、換気を行うことができる。
【００１４】
【発明の実施の形態】
以下、本発明の実施の形態について、図面に基づいて説明する。ここで、図１は、屋根頂上部から所定の傾斜角ではられた野地板１６に下方から順次積み上げられた屋根瓦１３と、棟心材１７に固定された大のし瓦１２との間に棟面戸ユニット１が装着された屋根上部の部分斜視図である。
【００１５】
図１に示すように、屋根頂上部２０から所定の傾斜角ではられた野地板１６上には、アスファルトルーフィング２２を挟んで、屋根瓦１３を引っ掛ける引っ掛け桟木１５が棟方向に対して平行に、屋根瓦１３の取り付け位置に合わせて固定されている。この野地板１６上には屋根瓦１３が下方より順次積み重ねられている。アスファルトルーフィング２２は、アスファルトフェルトの両面に被覆用アスファルトを塗布しさらに鉱物質粉粒を塗布したものであり、防湿性及び耐候性に優れていることから屋根下葺材として広く用いられている。引っ掛け桟木１５は、断面略長方形の木材で、図１に示す屋根２１の棟方向と平行方向に延設されている。また、屋根頂上部２０には、積層される複数枚ののし瓦の内、その最下部に配設される大のし瓦１２を保持する棟心材１７が固設される木製の角材１４が設けられている。角材１４は、断面略正方形の木材で、野地板１６に取り付けられた角材支持金具１８によって保持され、棟方向に延設されている。
【００１６】
ここで、大のし瓦１２とその上にのし積みされる瓦を固定する棟心材１７は角材１４に取り付けられている。棟心材１７は正面視略鍋蓋形状を有し、のし瓦を左右に保持する瓦保持部１７ｂ，１７ｃと、棟心材１７を他の棟心材と上下方向に積層可能にするための突出部１７ａとを備えており、野地板１６の頂上部に取り付けられた角材支持金具１８によって保持された角材１４の地面と平行面を有する上面部に取り付けられる。また、棟心材１７は突出部１７ａにより、他の棟心材を上方向にいくつも積むことが可能であるため、土等を使わずにのし瓦を重ね、のし積をすることができる。
【００１７】
次に、棟面戸ユニット１について図１及び図２を参照して説明する。図２は図１から棟心材１７と大のし瓦１２を除いた角材１４に棟面戸ユニット１を取り付けた状態を示す屋根上部の斜視図である。図１に示すように、屋根上部の野地板１６の頂上部に設置された屋根瓦１３と棟心材１７によって固定された大のし瓦１２の間に棟面戸９が挟まれた状態になるように、棟面戸ユニット１が装着されている。また、図２に示すように、棟面戸ユニット１の棟面戸９の外縁に沿ってシーリング部１０が固着されており、このシーリング部１０により棟面戸９が屋根瓦１３の上面形状に隙間なく密着する。シーリング部１０はウレタン等の弾性を持つ合成樹脂材であり、棟面戸９の外縁に沿って接着剤で接着されている。そして、屋根頂上部２０に固定された角材１４の地面に対し垂直な側面に棟面戸ユニット１の取付部３を当接させて、取付ネジ３ｂにより棟面戸ユニット１の取付部３を固定し、棟面戸ユニット１が角材１４に固定される。
【００１８】
次に、図３乃至図５を参照して、棟面戸ユニット１の構造の詳細について説明する。ここで、図３は棟面戸ユニット１の斜視図であり、図４は棟面戸ユニット１の展開図であり、図５は図３におけるＡ−Ａ’線の矢視方向からみた棟面戸ユニット１の断面図である。棟面戸ユニット１はシーリング部１０以外は１枚の金属板で形成されており、図３及び図５に示すように、長方形状の金属板２の長手方向に平行な両端部の一端部側を所定幅でほぼ直角に折り曲げた取付部３と、取付部３とは反対側の他端部側を取付部３の折り曲げ方向とは反対方向に所定幅をほぼ直角に折り曲げて形成された第１折り曲げ部４と、第１折り曲げ部４の先端側を取付部３方向に所定幅をほぼ直角に折り曲げて形成された第２折り曲げ部５と、また、外気との換気をするために第２折り曲げ部５に設けた換気口８ｂと、換気口８ｂから浸入した雨水の棟面戸９の内側への浸入防止のための凸部６と、棟面戸９とを備えた構成となっている。
【００１９】
また、図１、図３及び図４に示すように、棟面戸ユニット１の長方形状の金属板２は右端部から左端部までの長手方向の直線寸法がほぼ５６０ｍｍで切断された長方形の金属板から形成されている。尚、角材１４への取付部３は金属板２をほぼ直角に所定幅を上方に折り曲げて形成されている。また、屋根勾配、又は角材の幅や厚みにより折り幅や折り曲げ角度は変えることができる。取付部３には角材１４に固定するための取付穴３ａが取付部３の左端、中央、右端の３ヶ所孔設されている。取付穴３ａに、取付ネジ３ｂを貫通させて、取付部３を角材１４の地面に対し垂直面な側面に当接して固定することにより、棟面戸ユニット１を角材１４に容易に固定することができる。
【００２０】
また、図５に示すように、長方形状の金属板２の長手方向と平行な両端部の取付部３とは反対側である他端部側を下方へ折り曲げて形成された第１折り曲げ部４が形成され、この先端側を取付部３方向、図５に於ける左方へ折り曲げて形成された第２折り曲げ部５が設けられている。この第２折り曲げ部５の内側から外側に向けて、第２折り曲げ部５を構成する金属板をコの字形に打ち抜いて換気口８ｂと、当該換気口８ｂに雨水が浸入しないように換気口８ｂを覆う覆部である換気口覆８ａとを形成し、当該換気口覆８ａは、第２折り曲げ部５において第１折り曲げ部４側から斜め下方に延設されている。従って、外気が換気口８ｂを通って通気経路１１ｂに入り、通気間隙１１ａを通って棟面戸９の内側に流入するようになっている。また、逆に内側に溜まった熱気を同経路を通って外部に排出することもできるので空気循環が生じる。そのため、棟面戸９の内側と外側との温度差が縮まり、冬場等には結露等が棟面戸９に発生しにくくなり、通気性に優れた構造となっている。さらに換気口覆８ａにより換気口８ｂが図５に於ける下側の左方側（外側から）覆われているので、風雨の場合にも雨水が入りにくくなっている。
【００２１】
尚、図４に示すように、２つの換気口覆８ａは、第２折り曲げ部５を形成する金属板を図４の展開図裏面から手前方向に打ち抜いて形成され、第１折り曲げ部４と第３折り曲げ部６ａとの間に挟まれた箇所にそれぞれ位置する。尚、図５に示すように、第２折り曲げ部５を打ち抜かれて形成された換気口８ｂは棟面戸９の板面側に向けられ、雨水の浸入や風による異物の浸入を防ぐことができる。また、換気口覆８ａの形状、開き角度は使用状況に合わせ変更可能である。
【００２２】
また、図５に示すように凸部６は、第２折り曲げ部５の先端側を所定幅を金属板２の板面側に向かって、ほぼ直角に上方へ折り曲げて形成された第３折り曲げ部６ａと、さらに先端部の所定幅を金属板２との間に間隙を有する程度に、第１折り曲げ部４とは離れる方向に第３折り曲げ部６ａとほぼ直角に折り曲げて形成される第４折り曲げ部６ｂと、棟面戸９の上部とによって構成される。この凸部６は換気口８ｂから浸入した雨水等の棟面戸９内側への浸入を防ぐために形成されている。尚、通気間隙１１ａは換気口８ｂからの通気を妨げないように形成されている。
【００２３】
また、図５に示すように棟面戸ユニット１には、棟面戸９が設けられている。この棟面戸９は第４折り曲げ部６ｂの先端部を金属板２の板面に垂直かつ、離れる方向に所定幅折り曲げて形成されている。また、図１、図２に示すように棟面戸９は屋根瓦１３表面部と接する外縁部分を、屋根２１に積まれた屋根瓦１３表面の凹部と凸部の繰り返し形状に合わせて形成されている。屋根瓦１３の端と端が重なる部分には棟面戸９の凹部が当接し、瓦の凹部には棟面戸９の凸部が当接する。さらに棟面戸９の屋根瓦１３との当接部分には、弾性を持つ合成樹脂材であるシーリング部１０が棟面戸９の外縁に沿って接着されている。従って棟面戸９は屋根瓦１３表面上の凹凸と隙間なく当接することができる。
【００２４】
次に、上記に説明した形状の棟面戸ユニット１の使用法について図１を参照して説明する。まず、屋根上部の野地板１６には、アスファルトルーフィング２２がはられ、引っ掛け桟木１５を棟方向に平行して所定間隔を開けて固定し、屋根瓦１３が下方より積み上げられる。屋根瓦１３は必要により、銅線や釘で固定される。また、屋根頂上部２０には野地板１６に固定された角材支持金具１８により、角材１４が棟方向に平行に取り付けらている。次に、棟面戸ユニット１の棟面戸９のシーリング部１０を屋根瓦１３の凹凸に合わせて載置し、取付部３を角材１４の地面に対して垂直な側面に当接させ、取付ネジ３ｂで固定し、棟面戸ユニット１が角材１４に固定される。屋根頂上部２０に固定された角材１４の地面に平行面を有する上面部に棟心材１７が固定され、大のし瓦１２が瓦保持部１７ｂ，１７ｃにそれぞれ取り付けられ、棟面戸ユニット１が屋根瓦１３と大のし瓦１２に挟み込まれる構造になっている。
【００２５】
以上説明したように、本実施の形態の棟面戸ユニット１は、屋根頂上部２０の野地板１６上の角材支持金具１８によって固定された角材１４に取り付ける取付部３と、棟面戸９を備えており、取付場所と位置を決めるだけで容易に棟面戸９を固定することができ、作業の効率を上げることができる。また、棟面戸９の外縁部にはシーリング部１０が取り付けられており、屋根瓦１３の表面に隙間なく当接させることが可能である。また、図５に示すように第２折り曲げ部５に設けられた換気口８ｂ、第１折り曲げ部４と第２折り曲げ部５の内側にできた通気経路１１ｂ、通気間隙１１ａにより、外気と棟面戸９の内側との換気が可能となり、年中通気性を保つことができる。また、第２折り曲げ部５と棟面戸９との間に凸部６を設けることにより、換気口８ｂから入った雨水等が棟面戸９の内側に流入しない構造になっている。
【００２６】
尚、本発明は前記実施の形態に限定されるものではなく、各種の変形が可能である。例えば、シーリング部１０にはウレタン素材を使用したが、弾力性があり、かつ防水性のある素材であればいずれも使用できる。さらに、棟面戸９は、略長方形状の金属板を一体成形して作られているが、合成樹脂材の板を金属製の棟面戸９の代わりに取り付けてもよい。また、取付部３の折り曲げ角度は、屋根の勾配により、自由に変えて角材１４に取り付けることになる。さらに、角材１４は、木材に限らず、鉄骨、アルミ建材等でもよく、その断面形状は、四角柱に限られず、他の形状、例えば丸太等でもよい。
【００２７】
また、棟面戸ユニット１の各寸法は前記実施の形態のものに限られず、各寸法をより大きく、又はより小さくして成形することも可能である。さらに、換気口８ｂは棟面戸ユニット１つにつき２つ設けたが、必要に応じ、増やしても減らしてもよい。換気口覆８ａの開き度合いも自由に変えることができ、換気口形状も変えられる。また、凸部６は換気口８ｂから浸入した雨水等を棟面戸９の内側に浸入するのを防ぐことができれば形状はこの限りではない。
【００２８】
【発明の効果】
以上、詳述したとおり、請求項１に記載の棟面戸ユニットでは、長方形の金属板の長手方向に平行な両端部の一端部側が所定幅折り曲げられて形成され、角材に取り付けられる取付部と、金属板の取付部とは反対側の他端部側を取付部の折り曲げ方向と反対方向に折り曲げて形成された第１折り曲げ部と、第１折り曲げ部の先端側を取付部方向に所定幅折り曲げて形成された第２折り曲げ部と、第２折り曲げ部の先端側を金属板の板面から離れる方向に所定幅折り曲げて形成された棟面戸を備えているため、容易に棟面戸を取り付けることができ、施工の効率を上げることができる。また、漆喰を使用しないので、屋根を軽くすることができる。また、金属板１枚で形成できることから量産が容易である。
【００２９】
また、請求項２に記載の棟面戸ユニットでは、請求項１に記載の発明の効果に加え、換気のための換気口を設けているので、外気と棟面戸内側との換気ができる。従って、屋根内部の換気が容易にできる。
【００３０】
また、請求項３に記載の棟面戸ユニットでは、請求項２に記載の発明の効果に加え、第２折り曲げ部の内側から外側に向けて金属板をコの字形に打ち抜いて換気口と換気口に雨水が浸入しないように覆う覆部とを形成し、当該覆部は、第２折り曲げ部において第１折り曲げ部側から延設されているので、換気口の開口部が棟面戸の板面側に向けて形成されることになり、雨が吹き付けても換気口の開口部は、覆部で覆われて雨水が入ることを防止できる。従って、棟面戸の内側に雨水が入り雨漏りすることを防止できる。
【００３１】
また、請求項４に記載の棟面戸ユニットでは、請求項２又は３に記載の発明の効果に加え、第２折り曲げ部と棟面戸との間には、凸部が設けられ、その凸部と金属板との間には間隙が設けられているので、換気口から浸入した雨水の棟面戸の内側への浸入を防ぐと同時に、間隙を空気の通路として外気との換気を行うことができる。従って、屋根内部に雨水が入り雨漏りしてしまうことを防止できる。  
【図面の簡単な説明】
【図１】
図１は屋根上部に装着された棟面戸ユニット１の部分斜視図である。
【図２】
図２は棟面戸ユニット１を角材に取付た状態を示す斜視図である。
【図３】
図３は棟面戸ユニット１の斜視図である。
【図４】
図４は棟面戸ユニット１の展開図である。
【図５】
図５は棟面戸ユニット１の断面図である。
【符号の説明】
１      棟面戸ユニット
２      金属板
３      取付部
３ａ    取付穴
３ｂ    取付ネジ
４      第１折り曲げ部
５      第２折り曲げ部
６      凸部
６ａ    第３折り曲げ部
６ｂ    第４折り曲げ部
８ａ    換気口覆
８ｂ    換気口
９      棟面戸
１０    シーリング部
１１ａ  通気間隙
１１ｂ  通気経路